(57)【要約】【課題】  移動局がソフトハンドオーバにより複数の基地局のチャネルリソースを消費することを抑制することが可能な移動通信システムを得る。【解決手段】  ＭＳが各ＢＴＳからのＣＰＩＣＨ受信電力を測定してＲＮＣに報告し、ＲＮＣが所定の閾値αより大である受信電力を有するＢＴＳとＭＳとを無線接続せしめることによりハンドオーバ制御をなす移動通信システムにおいて、ＭＳは、最大受信電力値を除く各ＢＴＳからのＣＰＩＣＨ受信電力のうち閾値αより大である受信電力値については、この値を閾値αと同じ値（またはαより小の値）に置換えて（ステップＡ４）、ＲＮＣに報告する。【選択図】      図１
2006279626.tif 000002
【特許請求の範囲】
【請求項１】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムであって、
前記移動局は、前記各基地局からの受信信号レベルのうち前記閾値より大である受信信号レベルを有する基地局のうちの一部の基地局からの受信信号レベルの値を前記閾値以下の値として報告するようにしたことを特徴とする移動通信システム。
【請求項２】
前記一部の基地局は、前記各基地局からの受信信号レベルのうち最大レベルを有する基地局を除く、前記閾値より大である受信信号レベルを有する基地局であることを特徴とする請求項１記載の移動通信システム。
【請求項３】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムであって、
前記移動局は、前記各基地局からの受信信号レベルのうち最大レベルを有する基地局からの受信信号レベルのみを報告するようにしたことを特徴とする移動通信システム。
【請求項４】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムのハンドオーバ制御方法であって、
前記移動局において、前記各基地局からの受信信号レベルのうち前記閾値より大である受信信号レベルを有する基地局のうちの一部の基地局からの受信信号レベルの値を前記閾値以下の値として報告するステップを含むことを特徴とするハンドオーバ制御方法。
【請求項５】
前記一部の基地局は、前記各基地局からの受信信号レベルのうち最大レベルを有する基地局を除く、前記閾値より大である受信信号レベルを有する基地局であることを特徴とする請求項４記載のハンドオーバ制御方法。
【請求項６】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムのハンドオーバ制御方法であって、
前記移動局において、前記各基地局からの受信信号レベルのうち最大レベルを有する基地局からの受信信号レベルのみを報告するステップを含むことを特徴とするハンドオーバ制御方法。
【請求項７】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局であって、
前記各基地局からの受信信号レベルのうち前記閾値より大である受信信号レベルを有する基地局のうちの一部の基地局からの受信信号レベルの値を前記閾値以下の値として報告するようにしたことを特徴とする移動局。
【請求項８】
前記一部の基地局は、前記各基地局からの受信信号レベルのうち最大レベルを有する基地局を除く、前記閾値より大である受信信号レベルを有する基地局であることを特徴とする請求項７記載の移動局。
【請求項９】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局であって、
前記各基地局からの受信信号レベルのうち最大レベルを有する基地局からの受信信号レベルのみを報告するようにしたことを特徴とする移動局。
【請求項１０】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局の動作制御方法をコンピュータに実行させるためのプログラムであって、
前記各基地局からの受信信号レベルのうち前記閾値より大である受信信号レベルを有する基地局のうちの一部の基地局からの受信信号レベルの値を前記閾値以下の値として報告する処理を含むことを特徴とするプログラム。
【請求項１１】
移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局の動作制御方法をコンピュータに実行させるためのプログラムであって、
前記各基地局からの受信信号レベルのうち最大レベルを有する基地局からの受信信号レベルのみを報告する処理を含むことを特徴とするプログラム。
【発明の詳細な説明】
【技術分野】
【０００１】
本発明は移動通信システム、ハンドオーバ制御方法、移動局及びプログラムに関し、特に移動局が各基地局からの受信信号レベルを測定して基地局制御装置に報告し、基地局制御装置が所定の閾値より大である受信信号レベルを有する基地局と移動局とを無線接続せしめることによりハンドオーバ制御をなす移動通信システム、ハンドオーバ制御方法、移動局及びプログラムに関する。
【背景技術】
【０００２】
ＣＤＭＡ（Ｃｏｄｅ  Ｄｉｖｉｓｉｏｎ  Ｍｕｌｔｉｐｌｅ  Ａｃｃｅｓｓ）を用いた移動通信システムでは、移動局（ＭＳ）があるセルから他のセルへ移行する際にソフトハンドオーバが実行される。ＭＳは各無線基地局（ＢＴＳ）からの受信信号レベルを測定して基地局制御装置である無線ネットワーク制御装置（ＲＮＣ）へ報告し、ＲＮＣはＭＳより報告された受信信号レベルを基にＭＳと各ＢＴＳ間の無線接続を制御することによりソフトハンドオーバ制御を行う。すなわち、ＲＮＣは所定のハンドオーバ閾値より大である受信信号レベルを有するＢＴＳとＭＳとを無線接続せしめることによりソフトハンドオーバ制御を行う。
【０００３】
図３は上述した従来のＭＳの動作を示すフローチャートである。図３に示すように、ＭＳは各ＢＴＳからの共通パイロットチャネル（ＣＰＩＣＨ）の受信電力を測定し（ステップＣ１）、測定された各ＢＴＳからのＣＰＩＣＨ受信電力値を降順に並べ替える（ステップＣ２）。そしてＭＳは、ステップＣ２にて並べ替えられた各ＢＴＳからのＣＰＩＣＨ受信電力値を現在接続中のＢＴＳを経由してＲＮＣへ報告する。なお、ＭＳはＢＴＳと接続中は上記のステップＣ１〜Ｃ３の処理を繰り返し実行する。
【０００４】
次に図３のフローチャートの動作に基づいて、ＭＳの移動とともにＢＴＳとの接続状況がどのように変化するかを、図４及び５を用いて説明する。
【０００５】
図４はＭＳがサービスエリア（セル）間を移動する様子を示すシステム構成図である。図４において、ＢＴＳ３０１が持つサービスエリア３０３は、ＢＴＳ３０１が送信するＣＰＩＣＨが到達可能なエリアと等価と考えることができる。サービスエリア３０４はＢＴＳ３０２が送信するＣＰＩＣＨが到達可能なエリアである。ここで、ＭＳ３０５がサービスエリア３０３からサービスエリア３０４へ移動することを想定し、符号Ａ、Ｂ、Ｃ、Ｄ及びＥはＭＳ３０５が移動する経路上の地点を示す。なお、ＲＮＣ３１１はＢＴＳ３０１及び３０２に接続されている。
【０００６】
また、図５（ａ）は図４においてＭＳ３０５がサービスエリア３０３からサービスエリア３０４へ移動したとき、ＢＴＳ３０１及び３０２から送信されＭＳ３０５により受信されるＣＰＩＣＨの受信電力値Ｐｉの変化を示す図であり、図５（ｂ）は図３のフローチャートに従った場合のＭＳ３０５とＢＴＳ３０１及び３０２の接続状況を示す図である。
【０００７】
図５（ａ）では、図４の地点ＡにおけるＢＴＳ３０１からのＣＰＩＣＨ受信電力をＰ（３０１，Ａ）、ＢＴＳ３０２からのＣＰＩＣＨ受信電力をＰ（３０２，Ａ）とし、図４の地点ＢにおけるＢＴＳ３０１からのＣＰＩＣＨ受信電力をＰ（３０１，Ｂ）、ＢＴＳ３０２からのＣＰＩＣＨ受信電力をＰ（３０２，Ｂ）、図４の地点ＣにおけるＢＴＳ３０１からのＣＰＩＣＨ受信電力をＰ（３０１，Ｃ）、ＢＴＳ３０２からのＣＰＩＣＨ受信電力をＰ（３０２，Ｃ）、図４の地点ＤにおけるＢＴＳ３０１からのＣＰＩＣＨ受信電力をＰ（３０１，Ｄ）、ＢＴＳ３０２からのＣＰＩＣＨ受信電力をＰ（３０２，Ｄ）、図４の地点ＥにおけるＢＴＳ３０１からのＣＰＩＣＨ受信電力をＰ（３０１，Ｅ）、ＢＴＳ３０２からのＣＰＩＣＨ受信電力をＰ（３０２，Ｅ）とそれぞれ示している。
【０００８】
図５（ａ）中の一点鎖線は予め設定されたハンドオーバ閾値αを示しており、閾値αよりＣＰＩＣＨ受信電力が大きければ、そのＣＰＩＣＨを送信しているＢＴＳはＲＮＣの制御によりＭＳ３０５と無線接続を行う。
【０００９】
上記を踏まえ、図４に示すようにＭＳ３０５が地点Ａから地点Ｅへ移動した場合のＢＴＳ３０１及び３０２との接続状況を説明する。まず、地点ＡにおいてＭＳ３０５はＢＴＳ３０１と接続している状態にあるものとする。このとき、図５（ａ）に示すように、Ｐ（３０１，Ａ）はαより十分大きく、Ｐ（３０２，Ａ）はαより小さいため、ＭＳ３０５はＢＴＳ３０２と未接続である（図５（ｂ）参照）。なお、地点ＡにおけるＭＳ３０５は、図３のステップＣ３にてＲＮＣへの報告値として、Ｐ（３０１，Ａ）とＰ（３０２，Ａ）の順に並べた実測値を報告する。
【００１０】
次に、ＭＳ３０５がＢＴＳ３０２へ向かって移動し、Ｐ（３０２，Ｂ）がαより初めて大きくなったところを地点Ｂとする。地点ＢにおいてＰ（３０１，Ｂ）はαより大きいものとする。このとき、図３のステップＣ３においてＭＳ３０５は、Ｐ（３０１，Ｂ）、Ｐ（３０２，Ｂ）の順で、ＭＳ３０５が現在接続中であるＢＴＳ３０１を経由してＲＮＣへの報告を行なう。
【００１１】
この報告を受けたＲＮＣは、αを初めて超えたＢＴＳ３０２に対しソフトハンドオーバ（追加）処理を起動する。これによりＭＳ３０５はＢＴＳ３０２との接続を新たに開始する。したがって、図５（ｂ）に示すようにＭＳ３０５はＢＴＳ３０１に加えＢＴＳ３０２とも接続されることになる。
【００１２】
次に、ＭＳ３０５がさらにＢＴＳ３０２へ向かって移動し、Ｐ（３０２，Ｃ）がＰ（３０１，Ｃ）を超えるところをＣ地点とする。地点ＣにおいてＰ（３０１，Ｃ）とＰ（３０２，Ｃ）は共にαより大きいものとする。このとき、ＭＳ３０５が接続中のＢＴＳ３０１及び３０２を経由して報告するＲＮＣへの報告値Ｐ（３０２，Ｃ）とＰ（３０１，Ｃ）は、地点Ｂと変わらずαを越えたままであるため、ＲＮＣはソフトハンドオーバ（接続）処理をＢＴＳ３０１及び３０２に継続させる。したがって、図５（ｂ）に示すようにＭＳ３０５とＢＴＳ３０１及び３０２との接続が継続されることになる。
【００１３】
次に、ＭＳ３０５がＢＴＳ３０２へ向かってさらに移動し、Ｐ（３０１，Ｄ）が初めてα以下となるところを地点Ｄとする。地点ＤにおいてＰ（３０２，Ｄ）はαより大きいものとする。このとき、ＭＳ３０５が接続中のＢＴＳ３０１及び３０２を経由して報告するＲＮＣへの報告値はＰ（３０２，Ｄ）、Ｐ（３０１，Ｄ）であり、Ｐ（３０１，Ｄ）がαを初めて下回ったＢＴＳ３０１に対し、ＲＮＣはソフトハンドオーバ（削除）処理を起動する。これによりＭＳ３０５とＢＴＳ３０１との接続が切り離され、図５（ｂ）に示すようにＭＳ３０５はＢＴＳ３０２とのみ接続を継続する。
【００１４】
最後にＭＳ３０５がＢＴＳ３０２へさらに近づき、Ｐ（３０２，Ｅ）がαより十分大きく、Ｐ（３０１，Ｅ）がαより小さい状態を地点Ｅとする。このとき、ＭＳ３０５が接続中のＢＴＳ３０２を経由してＲＮＣへ報告するＰ（３０２，Ｅ）、Ｐ（３０１，Ｅ）は、地点Ｄのときと同様にＰ（３０２，Ｅ）が閾値αより大きく、Ｐ（３０１，Ｅ）が閾値α以下である状況は変わらないため、ＲＮＣはＭＳ３０５がＢＴＳ３０２とのみ接続する状態をＢＴＳ３０２に継続させる。
【００１５】
以上説明したように、従来のＣＤＭＡシステムにおけるハンドオーバ制御方法では、ＢＴＳ３０１及び３０２各々からのＣＰＩＣＨ受信電力値がαを超える図４の地点Ｂから地点Ｄの間で、ＭＳ３０５がＢＴＳ３０１及び３０２の両方と同時に接続する状態が発生する。
【００１６】
また、特許文献１には、ＣＤＭＡ移動通信システムのソフトハンドオーバ制御方法として、基地局のソフトハンドオーバ率を入力し、該ソフトハンドオーバ率に基づいて該基地局のセル内に存在する移動局に割り当てるソフトハンドオーバ枝数を制御し、該ソフトハンドオーバ枝数に基づいてソフトハンドオーバを行なう方法が記載されている。
【００１７】
【特許文献１】特開平１１−２１５５３６号公報
【発明の開示】
【発明が解決しようとする課題】
【００１８】
図３〜５を用いて説明した従来のＣＤＭＡ移動通信システムは、主に屋外でのサービスを中心とした大容量のＢＴＳを前提とした方式であり、ＢＴＳのチャネルリソース数よりも無線周波数リソース（干渉量）がボトルネックになるシステム構成に適している。
【００１９】
例えば、２つのＢＴＳの間（図４の地点Ｂと地点Ｄの間）にＭＳが位置する場合、上述したようにＭＳは両方のＢＴＳとソフトハンドオーバを行なうことで、各ＢＴＳからの送信電力およびＭＳから各ＢＴＳへの送信電力を低減させ、システム全体としての干渉量を低減し、消費電力を抑制するというメリットがある。
【００２０】
しかしながら、室内や地下等の狭い領域に適用される場合には、通常ＢＴＳは小型の装置を用いることになるため、多くのチャネルリソースを収容することが困難である。かつ、閉空間での電波伝搬特性により、ＭＳの物理的な位置にかかわらず複数のＢＴＳからのＣＰＩＣＨをＭＳで受信できる確率が増え、結果として、ＭＳが複数の基地局の個別チャネルリソースを消費するソフトハンドオーバ状態にある時間が通信全体に対する割合の多くを占めることになる。
【００２１】
したがって、屋内システムとして従来のシステムを用いると、ＢＴＳの持つチャネルリソースの全体数に対して、実際に接続できるＭＳの数が目減りするという問題が発生する。
【００２２】
また、特許文献１記載の技術では、ソフトハンドオーバ枝数を制御するようにしているが、ＭＳが接続するシステム側の処理に変更を加えて実現する必要がある。
【００２３】
本発明の目的は、移動局がソフトハンドオーバにより複数の基地局のチャネルリソースを消費することを抑制することが可能な移動通信システム、ハンドオーバ制御方法、移動局及びプログラムを提供することである。
【課題を解決するための手段】
【００２４】
本発明による移動通信システムは、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムであって、前記移動局は、前記各基地局からの受信信号レベルのうち前記閾値より大である受信信号レベルを有する基地局のうちの一部の基地局からの受信信号レベルの値を前記閾値以下の値として報告するようにしたことを特徴とする。
【００２５】
本発明による別の移動通信システムは、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムであって、前記移動局は、前記各基地局からの受信信号レベルのうち最大レベルを有する基地局からの受信信号レベルのみを報告するようにしたことを特徴とする。
【００２６】
本発明によるハンドオーバ制御方法は、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムのハンドオーバ制御方法であって、前記移動局において、前記各基地局からの受信信号レベルのうち前記閾値より大である受信信号レベルを有する基地局のうちの一部の基地局からの受信信号レベルの値を前記閾値以下の値として報告するステップを含むことを特徴とする。
【００２７】
本発明による別のハンドオーバ制御方法は、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムのハンドオーバ制御方法であって、前記移動局において、前記各基地局からの受信信号レベルのうち最大レベルを有する基地局からの受信信号レベルのみを報告するステップを含むことを特徴とする。
【００２８】
本発明による移動局は、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局であって、前記各基地局からの受信信号レベルのうち前記閾値より大である受信信号レベルを有する基地局のうちの一部の基地局からの受信信号レベルの値を前記閾値以下の値として報告するようにしたことを特徴とする。
【００２９】
本発明による別の移動局は、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局であって、前記各基地局からの受信信号レベルのうち最大レベルを有する基地局からの受信信号レベルのみを報告するようにしたことを特徴とする。
【００３０】
本発明によるプログラムは、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局の動作制御方法をコンピュータに実行させるためのプログラムであって、前記各基地局からの受信信号レベルのうち前記閾値より大である受信信号レベルを有する基地局のうちの一部の基地局からの受信信号レベルの値を前記閾値以下の値として報告する処理を含むことを特徴とする。
【００３１】
本発明による別のプログラムは、移動局が各基地局からの受信信号レベルを測定して基地局制御装置に報告し、前記基地局制御装置が所定の閾値より大である受信信号レベルを有する前記基地局と前記移動局とを無線接続せしめることによりハンドオーバ制御をなす移動通信システムの移動局の動作制御方法をコンピュータに実行させるためのプログラムであって、前記各基地局からの受信信号レベルのうち最大レベルを有する基地局からの受信信号レベルのみを報告する処理を含むことを特徴とする。
【００３２】
移動局は各基地局からの受信信号レベルを測定して基地局制御装置に報告する際に、最大値を除く他の受信信号レベルが所定の閾値より大である場合に、そのレベルについては実際の測定値ではなく閾値以下の所定の値として基地局制御装置に報告するようにしている。あるいは、移動局は、最大値である基地局からの受信信号レベルのみを基地局制御装置に報告するようにしている。
【発明の効果】
【００３３】
本発明によれば、移動局が各基地局からの受信信号レベルを測定して基地局制御装置に報告し、基地局制御装置が所定の閾値より大である受信信号レベルを有する基地局と移動局とを無線接続せしめることによりハンドオーバ制御をなす移動通信システムにおいて、移動局は、各基地局からの受信信号レベルのうち閾値より大である受信信号レベルを有する基地局のうちの一部の基地局からの受信信号レベルの値を閾値以下の値として報告するようにしているので、移動局がソフトハンドオーバにより複数の基地局のチャネルリソースを消費することを抑制することができるという効果が得られる。
【発明を実施するための最良の形態】
【００３４】
以下、本発明の実施例について図面を参照して説明する。
【００３５】
本発明の実施例によるＣＤＭＡ移動通信システムでは、ＢＴＳやＲＮＣ等のＭＳが接続するシステム側の構成及び動作は図３〜５を用いて上述した従来例と同様であるが、ＭＳの動作が異なっている。
【００３６】
図１は本発明の実施例によるＣＤＭＡ移動通信システムにおけるＭＳの動作を示すフローチャートである。図１に示すように、本発明の実施例によるＭＳはまず、各ＢＴＳからのＣＰＩＣＨ受信電力Ｐｉを測定し（ステップＡ１）、測定された各ＢＴＳからのＣＰＩＣＨ受信電力値Ｐｉを降順に並べ替える（ステップＡ２）。次にＭＳは、測定されたＣＰＩＣＨ受信電力値Ｐｉのうち最大値を除くＣＰＩＣＨ受信電力値Ｐｉと予め定められた閾値αとの比較を行い（ステップＡ３）、その結果に応じてステップＡ４もしくはステップＡ５へそれぞれ進む。
【００３７】
ここで、閾値αはハンドオーバ閾値と呼び、ＭＳにおける各ＢＴＳからのＣＰＩＣＨ受信電力値がハンドオーバ閾値αより大きいＢＴＳに対してソフトハンドオーバ（追加）処理がＲＮＣから起動される。逆に、ハンドオーバ閾値α以下となるＢＴＳに対してはソフトハンドオーバ（削除）処理がＲＮＣから実行される。すなわち、ＭＳは、ＣＰＩＣＨ受信電力値がαより大きいＢＴＳとソフトハンドオーバ状態となることを意味している。
【００３８】
ステップＡ３における比較の結果、ＣＰＩＣＨ受信電力値がαより大きいＢＴＳに関してはステップＡ４に進み、そのＢＴＳからのＣＰＩＣＨ受信電力値として実測値の代わりにαをＲＮＣへの報告値として設定する。一方、ＣＰＩＣＨ受信電力値がα以下のＢＴＳに関してはステップＡ５へ進み、そのＢＴＳからのＣＰＩＣＨ受信電力値として実測値をそのままＲＮＣへの報告値として設定する。
【００３９】
そして、ＭＳは、測定されたＣＰＩＣＨ受信電力値Ｐｉのうち最大値であるＢＴＳからのＣＰＩＣＨ受信電力の実測値と、ステップＡ４及びＡ５で設定された各報告値とをＭＳが現在接続中のＢＴＳを経由してＲＮＣへ報告する（ステップＡ６）。なお、ＭＳはＢＴＳと接続中は上記のステップＡ１〜Ａ６の処理を繰り返し実行する。
【００４０】
次に、上記の実施例を用いた場合に、ＭＳの移動とともにＢＴＳとの接続状況がどのように変化するかを、図４及び５を用いて説明する。なお、以下の説明では、図４のＭＳ３０５は図１のフローチャートに従った処理動作を行なうものとする。また、図５（ｃ）は図１のフローチャートに従った場合のＭＳ３０５とＢＴＳ３０１及び３０２の接続状況を示す図である。
【００４１】
以下に、図４に示すようにＭＳ３０５が地点Ａから地点Ｅへ移動した場合のＢＴＳ３０１及び３０２との接続状況を説明する。まず、地点ＡにおいてＭＳ３０５はＢＴＳ３０１と接続している状態にあるものとする。このとき、図５（ａ）に示すように、Ｐ（３０１，Ａ）はαより十分大きく、Ｐ（３０２，Ａ）はαより小さいため、ＭＳ３０５はＢＴＳ３０２と未接続である（図５（ｃ）参照）。なお、地点ＡにおけるＭＳ３０５がＲＮＣへ報告する各ＢＴＳのＣＰＩＣＨ受信電力値は、図１のステップＡ３及びＡ５の処理に従い、実際の測定値であるＰ（３０１，Ａ）とＰ（３０２，Ａ）となる。
【００４２】
次に、ＭＳ３０５がＢＴＳ３０２へ向かって移動し、Ｐ（３０２，Ｂ）がαより初めて大きくなったところを地点Ｂとする。このとき、Ｐ（３０１，Ｂ）はαより十分大きいとする。ここで、ＭＳ３０５は、図１のステップＡ３においてＰ（３０２，Ｂ）がαより大きいと判断し、図１のステップＡ４においてＢＴＳ３０２についてのＲＮＣへの報告値を実測値であるＰ（３０２，Ｂ）ではなくαに設定する。また、ＢＴＳ３０１からのＣＰＩＣＨ受信電力値であるＰ（３０１，Ｂ）は最大値であるので、ＭＳ３０５は、Ｐ（３０１，Ｂ）をそのままＢＴＳ３０１についてのＲＮＣへの報告値として設定し、それぞれの報告値を現在接続中のＢＴＳ３０１を介してＲＮＣへ報告する（図１のステップＡ６）。
【００４３】
一方、報告を受けたＲＮＣは、ＢＴＳ３０２からのＣＰＩＣＨ受信電力値がハンドオーバ閾値α以下の値として報告されているため、ＢＴＳ３０２に対するソフトハンドオーバ（追加）処理を起動しない。そのため、地点ＢにおいてもＭＳ３０５はＢＴＳ３０１のみと接続を行なっている状態が継続される（図５（ｃ）参照）。
【００４４】
次に、ＭＳ３０５がさらにＢＴＳ３０２へ向かって移動し、Ｐ（３０１，Ｃ）とＰ（３０２，Ｃ）の大きさが逆転する地点Ｃへ到達した場合を考える。ただし、いずれの値もαより大きいものとする。ここでは、各ＢＴＳからのＣＰＩＣＨ受信電力の最大値がＢＴＳ３０１からのＣＰＩＣＨ受信電力値ではなくＢＴＳ３０２からのＣＰＩＣＨ受信電力値となる。よって、図１のステップＡ３においてはＰ（３０１，Ｃ）がαとの比較対象となり、その結果、図１のステップＡ４においてＲＮＣへ報告するＢＴＳ３０１からのＣＰＩＣＨ受信電力値にはαが設定される。以上により、ＲＮＣへは、最大値であるＢＴＳ３０２からのＣＰＩＣＨ受信電力の実測値Ｐ（３０２，Ｃ）と、ＢＴＳ３０１からのＣＰＩＣＨ受信電力としてのαとがＢＴＳ３０１を介して報告されることになる（図１のステップＡ６）。
【００４５】
この報告を受けたＲＮＣは、ＢＴＳ３０２からのＣＰＩＣＨ受信電力値が初めてハンドオーバ閾値αを上回ったと認識することで、ＢＴＳ３０２に対してソフトハンドオーバ（追加）処理を起動しＭＳ３０５との接続を開始させる。一方、ＢＴＳ３０１からのＣＰＩＣＨ受信電力値はハンドオーバ閾値α以下であると認識され、ＲＮＣはＢＴＳ３０１に対してソフトハンドオーバ（削除）処理を起動する。これにより、ＢＴＳ３０１はＭＳ３０５との接続を切断することになり、結果として、ＭＳ３０５はＢＴＳ３０２とのみ接続する状態となる（図５（ｃ）参照）。
【００４６】
続けて、ＭＳ３０５がさらにＢＴＳ３０２へ向かって移動し、Ｐ（３０１，Ｄ）がα以下となる地点Ｄに到達した場合を考える。ここでのＭＳ３０５における動作としては、図１のステップＡ３においてＰ（３０１，Ｄ）はα以下と判断されるため、図１のステップＡ５にてＢＴＳ３０１についてのＲＮＣへの報告値は実測値であるＰ（３０１，Ｄ）に設定される。また、Ｐ（３０２，Ｄ）はαよりも十分高く各ＢＴＳからのＣＰＩＣＨ受信電力の最大値であるので、ＭＳ３０５は、Ｐ（３０２，Ｄ）をそのままＢＴＳ３０２についてのＲＮＣへの報告値として設定し、それぞれの報告値を現在接続中のＢＴＳ３０２を介してＲＮＣへ報告する（図１のステップＡ６）。
【００４７】
この報告を受けたＲＮＣは、ＢＴＳ３０１についてのＲＮＣへの報告値Ｐ（３０１，Ｄ）がα以下であるため、ＢＴＳ３０１に対するソフトハンドオーバ（追加）処理を起動しない。そのため、地点ＤにおいてもＭＳ３０５はＢＴＳ３０２のみと接続を行なっている状態が継続される（図５（ｃ）参照）。
【００４８】
最後にＭＳ３０５がＢＴＳ３０２へさらに近づき、Ｐ（３０２，Ｅ）がαより十分大きく、Ｐ（３０１，Ｅ）がαより小さい地点Ｅに到達した場合を考える。。このとき、ＭＳ３０５は地点Ｄにおけると同様に各ＢＴＳについてのＲＮＣ報告値を実測値Ｐ（３０２，Ｅ）及びＰ（３０１，Ｅ）として現在接続中のＢＴＳ３０２を介してＲＮＣへ報告し（図１のステップＡ６）、その結果、ＲＮＣはＢＴＳ３０１に対するソフトハンドオーバ（追加）処理を起動せず、ＭＳ３０５はＢＴＳ３０２のみと接続を行なっている状態が継続される（図５（ｃ）参照）。
【００４９】
以上説明したように、本発明の実施例によれば、図４の地点Ａと地点Ｃの間ではＭＳ３０５はＢＴＳ３０１とのみ接続を行い、図４の地点Ｃと地点Ｅの間ではＭＳ３０５はＢＴＳ３０２とのみ接続を行うことになる。このように、本発明の実施例では、ＭＳ３０５がＢＴＳ３０１及び３０２のサービスエリア３０３及び３０４間を移動する際、従来例ではＢＴＳ３０１及び３０２の両方との間でソフトハンドオーバを実行するような領域に移動しても、単一のＢＴＳとの接続を継続することができる（図５（ｂ）及び（ｃ）参照）。これにより、１つのＭＳが複数のＢＴＳの複数チャネルリソースを消費することを回避することが可能となり、屋内で使用される小型でチャネル容量の少ないＢＴＳでシステムを構成する際に優位性を発揮する。
【００５０】
また、本発明の実施例では、従来例におけるＢＴＳやＲＮＣなどの基本動作に変更を加えることなく、ＭＳの処理の追加だけで上記の効果を実現することができる。したがって、ＭＳが接続するシステム（屋内・屋外等）に応じて、従来例と本実施例のいずれの方式にも容易に対応することが可能である。
【００５１】
なお、図１のステップＡ４では、ＲＮＣへの報告値をハンドオーバ閾値αと同じ値に置き換えるようにしているが、これに限られるものではなく、閾値α以下の値であればよいことは勿論である。また、図１のフローチャートでは、ＣＰＩＣＨ受信電力値が閾値α以下の場合、ステップＡ５においてこの受信電力値（実測値）をそのままＲＮＣへの報告値としているが、ステップＡ４と同様に値を置き換えるようにしてもよい。すなわち、各ＢＴＳからのＣＰＩＣＨ受信電力値のうち最大値以外の受信電力値については全てＲＮＣへの報告値をαに設定するようにしてもよい。
【００５２】
次に、本発明の他の実施例について説明する。図２は本発明の他の実施例によるＭＳの動作を示すフローチャートである。なお、図２のステップＢ１及びＢ２の処理は図１のステップＡ１及びＡ２と同一であるので、その説明は省略する。
【００５３】
図２に示すようにステップＢ１及びＢ２の処理の後、ＭＳは、各ＢＴＳからのＣＰＩＣＨ受信電力値のうち最大の受信電力値を有するＢＴＳからのＣＰＩＣＨ受信電力値のみを現在接続中のＢＴＳを介してＲＮＣに報告する（ステップＢ３）。なお、ＭＳはＢＴＳと接続中は上記のステップＢ１〜Ｂ３の処理を繰り返し実行する。
【００５４】
このように、本発明の他の実施例では、ＭＳは最大受信電力値のみをＲＮＣに報告するようにしているので、ＲＮＣは、その最大受信電力値のＣＰＩＣＨを送信しているＢＴＳのみがＭＳと無線接続するよう制御を行うことになる。したがって、図４のＭＳ３０５が図２のフローチャートに従った処理動作を行って、地点Ａから地点Ｅに移動する場合も、図１の場合と同様に、地点Ａと地点Ｃの間ではＭＳ３０５はＢＴＳ３０１とのみ接続を行い、また地点Ｃと地点Ｅの間ではＭＳ３０５はＢＴＳ３０２とのみ接続を行うことになり、図１の場合と同様の効果を得ることができることは明らかである。
【００５５】
なお、図１及び図２に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００５６】
【図１】本発明の実施例によるＭＳの動作を示すフローチャートである。
【図２】本発明の他の実施例によるＭＳの動作を示すフローチャートである。
【図３】従来のＭＳの動作を示すフローチャートである。
【図４】ＭＳがサービスエリア間を移動する様子を示すシステム構成図である。
【図５】（ａ）は図４においてＭＳがサービスエリア間を移動したときに各ＢＴＳから送信されるＣＰＩＣＨの受信電力値の変化を示す図であり、（ｂ）は図３のフローチャートに従った場合のＭＳと各ＢＴＳの接続状況を示す図であり、（ｃ）は図１のフローチャートに従った場合のＭＳと各ＢＴＳの接続状況を示す図である。
【符号の説明】
【００５７】
３０１，３０２    ＢＴＳ
３０３，３０４    サービスエリア
３０５    ＭＳ
３１１    ＲＮＣ
【図１】
2006279626.tif 000003
【図２】
2006279626.tif 000004
【図３】
2006279626.tif 000005
【図４】
2006279626.tif 000006
【図５】
2006279626.tif 000007